(57)【要約】【課題】適切な書類の撮影データを取得する。【解決手段】実施形態に係る情報処理装置は、書類の種別と、撮影部と書類との位置関係が適切な場合の画像データにおける書類の縦横比データとを対応づけたサイズデータが記憶された記憶装置と、撮影部が前記書類を撮影して生成された画像データを取得して、記憶装置に記憶する取得手段と、サイズデータを読み出し、画像データから検出された書類のエッジの比率に最も近い縦横比データを特定するサイズ特定手段と、取得手段によって取得された画像データを表示するとともに、サイズ特定手段により特定された縦横比データに基づいて、撮影部と書類との位置関係が適切な場合の当該書類の位置を示す理想枠を表示するプレビュー手段と、を備える。【選択図】図４
2012108720.tif 000002
【特許請求の範囲】
【請求項１】
書類を撮影した画像データを処理する情報処理装置であって、
書類の種別と、撮影部と当該書類との位置関係が適切な場合の画像データにおける当該書類の縦横比データとを対応づけたサイズデータが記憶された記憶装置と、
前記撮影部が前記書類を撮影して生成された画像データを取得して、前記記憶装置に記憶する取得手段と、
前記サイズデータを読み出し、前記画像データから検出された前記書類のエッジの比率に最も近い縦横比データを特定するサイズ特定手段と、
前記取得手段によって取得された画像データを表示するとともに、前記サイズ特定手段により特定された縦横比データに基づいて、前記撮影部と前記書類との位置関係が適切な場合の当該書類の位置を示す理想枠を表示するプレビュー手段と、
を備える情報処理装置。
【請求項２】
前記撮影部と前記書類との距離が固定可能な場合、前記サイズデータには、前記書類の種別に、撮影部と当該書類との位置関係が適切な場合の当該書類の画素サイズデータがさらに関連づけられており、
前記サイズ特定手段は、前記画像データから検出された前記書類のエッジの画素数に最も近い画素サイズデータを特定し、
前記プレビュー手段は、前記サイズ特定手段により特定された画素サイズデータに基づいて、前記理想枠を表示する
請求項１に記載の情報処理装置。
【請求項３】
書類を撮影した画像データを処理する情報処理方法であって、
撮影部が書類を撮影して生成された画像データを取得して、記憶装置に記憶する取得ステップと、
前記書類の種別と、前記撮影部と当該書類との位置関係が適切な場合の当該書類の縦横比データとを対応づけたサイズデータを読み出し、前記画像データから検出された前記書類のエッジの比率に最も近い縦横比データを特定するサイズ特定手段と、
前記取得ステップにおいて取得された画像データを表示するとともに、前記サイズ特定ステップにおいて特定された縦横比データに基づいて、前記撮影部と前記書類との位置関係が適切な場合の当該書類の位置を示す理想枠を表示するプレビューステップと、
を備える情報処理方法。
【請求項４】
書類を撮影した画像データを処理する情報処理プログラムであって、
コンピュータを、
撮影部が書類を撮影して生成された画像データを取得して、記憶装置に記憶する取得手段と、
前記書類の種別と、前記撮影部と当該書類との位置関係が適切な場合の当該書類の縦横比データとを対応づけたサイズデータを読み出し、前記画像データから検出された前記書類のエッジの比率に最も近い縦横比データを特定するサイズ特定手段と、
前記取得手段によって取得された画像データを表示するとともに、前記サイズ特定手段により特定された縦横比データに基づいて、前記撮影部と前記書類との位置関係が適切な場合の当該書類の位置を示す理想枠を表示するプレビュー手段
として機能させる情報処理プログラム。
【請求項５】
書類を撮影した画像データを処理する情報処理装置であって、
撮影部が書類を撮影して生成された複数の画像データを取得して、記憶装置に記憶する取得手段と、
前記取得手段によって取得された複数の画像データの前記書類が撮影された部分を抽出して台形補正するとともに、コンポジットノイズを除去した保存画像データを生成するコンポジットノイズ除去手段
を備える情報処理装置。
【請求項６】
前記コンポジットノイズ除去手段は、前記取得手段によって取得された複数の画像データのうち、鮮鋭度の高い複数の画像データに基づいて、前記保存画像データを生成する
請求項５に記載の情報処理装置。
【請求項７】
書類を撮影した画像データを処理する情報処理方法であって、
撮影部が書類を撮影して生成された複数の画像データを取得して、記憶装置に記憶する取得ステップと、
取得ステップにおいて取得された複数の画像データの前記書類が撮影された部分を抽出して台形補正するとともに、コンポジットノイズを除去した保存画像データを生成するコンポジットノイズ除去ステップ
を備える情報処理方法。
【請求項８】
書類を撮影した画像データを処理する情報処理プログラムであって、
コンピュータを、
撮影部が書類を撮影して生成された複数の画像データを取得して、記憶装置に記憶する取得手段と、
前記取得手段によって取得された複数の画像データの前記書類が撮影された部分を抽出して台形補正するとともに、コンポジットノイズを除去した保存画像データを生成するコンポジットノイズ除去手段
として機能させる情報処理プログラム。
【発明の詳細な説明】
【技術分野】
【０００１】
本発明の実施形態は、書類を撮影した画像データを処理する情報処理装置、方法およびプログラムに関する。
【背景技術】
【０００２】
近年の情報処理装置の発達に伴い、小型化および高性能化が著しい。これに伴い、保険会社などの営業担当者が、ノートパソコンなどの情報処理装置を携行して顧客の元を訪れ、職務に当たる機会が増えている。
【０００３】
例えば、顧客が記入した申込書などの書類に基づいて、営業担当者が、携行したノートパソコンにデータを入力するとともに、その書類を撮影して電子データ化して、エビデンスデータとして保管する場合が考えられる。ここで、書類を撮影した電子データを保管する際、エビデンスデータとして保管することに対して顧客の同意を得るため、顧客の前で電子データ化して保管することが好ましい。また、文字の可読性などのエビデンスデータとしての画質を備えていることが、リアルタイムに確認できることが好ましい。
【０００４】
文字の可読性など、エビデンスデータに求められる条件を備えていることを、営業担当者がリアルタイムに確認するためには、客先で画像を取り込む必要がある。また、文字のそのように取得した画像の可読性を担保するために、常に一定のレベル以上の画質で撮影可能な仕組みが必要になる。
【先行技術文献】
【特許文献】
【０００５】
【特許文献１】特開２００４−２１３２１５号公報
【発明の概要】
【発明が解決しようとする課題】
【０００６】
しかし、従来の技術でエビデンスデータに求められる条件を備えた撮影データを取得することは、困難である。
【０００７】
適切な書類の撮影データを取得することのできる情報処理装置、方法およびプログラムを提供することである。
【課題を解決するための手段】
【０００８】
実施形態に係る情報処理装置は、書類の種別と、撮影部と書類との位置関係が適切な場合の画像データにおける書類の縦横比データとを対応づけたサイズデータが記憶された記憶装置と、撮影部が前記書類を撮影して生成された画像データを取得して、記憶装置に記憶する取得手段と、サイズデータを読み出し、画像データから検出された書類のエッジの比率に最も近い縦横比データを特定するサイズ特定手段と、取得手段によって取得された画像データを表示するとともに、サイズ特定手段により特定された縦横比データに基づいて、撮影部と書類との位置関係が適切な場合の当該書類の位置を示す理想枠を表示するプレビュー手段と、を備える。
【図面の簡単な説明】
【０００９】
【図１】第１の実施形態に係る情報処理装置の外観を説明する図である。
【図２】第１の実施形態に係る情報処理装置が、書類を撮影する様子を説明する図である。
【図３】第１の実施形態に係る情報処理装置のハードウェア構成図である。
【図４】第１の実施形態に係る情報処理装置の機能ブロック図である。
【図５】第１の実施形態に係る情報処理装置のサイズデータのデータ構造とデータの一例を説明する図である。
【図６】第１の実施形態に係る情報処理装置の処理を説明するフローチャートである。
【図７】第１の実施形態に係る情報処理装置の画像データの補正の処理を説明する図である。
【図８】第２の実施形態に係る情報処理装置が、書類を撮影する様子を説明する図である。（その１）
【図９】第２の実施形態に係る情報処理装置が、書類を撮影する様子を説明する図である。（その２）
【図１０】第２の実施形態に係る情報処理装置が、書類を撮影する様子を説明する図である。（その３）
【図１１】第２の実施形態に係る情報処理装置のサイズデータのデータ構造とデータの一例を説明する図である。
【図１２】第３の実施形態に係る情報処理装置の機能ブロック図である。
【図１３】第３の実施形態に係る情報処理装置が表示する画面の例を説明する図である。
【図１４】第３の実施形態に係る情報処理装置の処理を説明するフローチャートである。
【発明を実施するための形態】
【００１０】
次に、図面を参照して、実施形態を説明する。以下の図面の記載において、同一または類似の部分には同一または類似の符号を付している。
【００１１】
（第１の実施形態）
第１の実施形態に係る情報処理装置１は、書類を撮影した画像データを処理する。情報処理装置１は、例えば、図１のように、タブレット形コンピュータ（スレートＰＣ）である。第１の実施形態に係る情報処理装置１の表面は、図１（ａ）に示すように、表示部１０５備える。また表示部１０５を備えた面と対向する裏面は、図１（ｂ）に示すように、撮影部１２１を備える。情報処理装置１の表示部１０５は、タッチパネルを備える。情報処理装置１で実行されるソフトウェアによって、表示部１０５にキーボードやボタンなどが表示される。ユーザは、表示されたキーボードやボタンをタッチすることにより、情報処理装置１に指示を入力することができる。また、情報処理装置１にキーボードやマウスが接続されてもよいし、情報処理装置１の筐体に、指示を入力するボタンが設けられてもよい。
【００１２】
情報処理装置１で書類３を撮影する場合を説明する。図２に示すように、書類３は、机などの台の上に設置される。例えばユーザは情報処理装置１を両手で把持し、情報処理装置１の撮影部１２１を書類３に向け、書類３の上部から撮影する。ここで、情報処理装置１の表示部１０５には、撮影部１２１によって撮影された書類３の画像データが逐次プレビュー表示されるとともに、理想枠５１が表示される。図２においては、書類３は矩形である。書類３を上方向から撮影するので、書類３は、表示部１０５に矩形の形状の書類部５２として表示される。情報処理装置１の表示部１０５は、ユーザ側に位置するので、ユーザは表示部１０５で撮影される様子を確認しながら、書類３と情報処理装置１の位置関係を調節することができる。
【００１３】
理想枠５１は、画像データにおける、撮影部１２１と書類３との位置関係が適切な場合の表示部１０５上の書類３の位置を、表示部１０５上に示すものである。画像データが表示部１０５に逐次プレビュー表示されるので、ユーザは、表示部１０５をみながら、表示部１０５に表示された書類部５２が、理想枠５１に合うように、情報処理装置１の位置を調整する。ここで、撮影部１２１と書類３との「位置関係が適切な場合」とは、例えば、書類３をエビデンスデータとして保存する場合、そのエビデンスデータとしての画質を備える画像データを撮影できる位置関係であることを言う。第１の実施形態において、この位置関係は、書類３と情報処理装置１の角度や距離に依存する。情報処理装置１が書類３の画像データを保存する目的に応じて、適切な位置関係は異なってもよい。
【００１４】
図２に示す例において理想枠５１は、撮影部１２１と書類３との位置関係が適切な場合に表示部１０５にプレビューされる書類部５２を囲う形状を備える。理想枠５１の形状は、書類部５２を囲う形状に限られず、例えば、書類部５２の角を、「Ｌ」字上のマーカーを施す形状なども考えられる。
【００１５】
図３に示すように、第１の実施形態に係る情報処理装置１は、中央処理制御装置１０１、ＲＯＭ（Read Only Memory）１０２、ＲＡＭ（Random Access Memory）１０３、入出力インタフェース１０９および画像データ生成部１２３が、バス１１０を介して接続されている。入出力インタフェース１０９には、入力装置１０４、表示部１０５、通信制御装置１０６、記憶装置１０７およびリムーバブルディスク１０８が接続されている。画像データ生成部１２３には、第１の撮影部１２１および第２の撮影部が接続されている。
【００１６】
撮影部１２１は、例えばＣＣＤであって、書類３から受けた光を電気信号に変換する。撮影部１２１は、電気信号を、画像データ生成部１２２に入力する。撮影部１２１は、例えば、情報処理装置１に固定され、かつ内蔵されたＣＣＤである。
【００１７】
撮影部１２１は、例えば、情報処理装置１に固定可能であって、ＵＳＢポート等を介して接続可能なカメラであってもよい。ここで、「固定可能」とは、情報処理装置１と撮影部１２１が別のハードウェアで構成されており、撮影部１２１が、フックなどの接続部材によって取り外し可能な状態で情報処理装置１に固定できることを言う。この場合、撮影部１２１は、ＵＳＢポートなどの外部インタフェースを介して、中央処理制御装置１０１に画像データを入力する。
【００１８】
画像データ生成部１２２は、撮影部１２１から受信した電気信号を画像データに変換して、バス１１０に送出する回路である。第１の実施形態に係る画像データ生成部１２２は、画像データ生成部１２２は、回路基盤により実装されてもよいし、ソフトウェアプログラムによって実装されてもよい。
【００１９】
中央処理制御装置１０１は、入力装置１０４からの入力信号に基づいてＲＯＭ１０２から情報処理装置１を起動するためのブートプログラムを読み出して実行し、さらに記憶装置１０７に記憶されたオペレーティングシステムを読み出す。さらに中央処理制御装置１０１は、入力装置１０４や通信制御装置１０６などの入力信号に基づいて、各種装置の制御を行ったり、ＲＡＭ１０３や記憶装置１０７などに記憶されたプログラムおよびデータを読み出してＲＡＭ１０３にロードするとともに、ＲＡＭ１０３から読み出されたプログラムのコマンドに基づいて、データの計算または加工など、後述する一連の処理を実現する処理装置である。
【００２０】
入力装置１０４は、操作者が各種の操作を入力するキーボード１０４ａ、マウス１０４ｂなどの入力デバイスにより構成されており、操作者の操作に基づいて入力信号を作成し、入出力インタフェース１０９およびバス１１０を介して中央処理制御装置１０１に送信される。
【００２１】
表示部１０５は、例えば液晶ディスプレイである。表示部１０５は、中央処理制御装置１０１からバス１１０および入出力インタフェース１０９を介して表示部１０５において表示させる出力信号を受信し、例えば中央処理制御装置１０１の処理結果などを表示する。第１の実施形態に係る情報処理装置１の表示部１０５には、タッチパネル１０５ａが施されており、ユーザが表示部１０５の画面をタッチすることにより、入力信号を中央処理制御装置１０１に送信することができる。
【００２２】
通信制御装置１０６は、ＬＡＮカード、モデム、アンテナなどの装置であり、情報処理装置１をインターネット、ＬＡＮ、携帯電話網などの通信ネットワークに接続する装置である。通信制御装置１０６を介して通信ネットワークと送受信したデータは入力信号または出力信号として、入出力インタフェース１０９およびバス１１０を介して中央処理制御装置１０１に送受信される。
【００２３】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９およびバス１１０を介して中央処理制御装置１０１に送受信される。
【００２４】
第１の実施形態に係る情報処理装置１の記憶装置１０７には、情報処理プログラムが記憶されるとともに、図４示すように、記憶装置１０７は、画像データ記憶部１１、サイズデータ記憶部１２、理想枠データ記憶部１３および保存画像データ記憶部１４を備える。また、情報処理プログラムが情報処理装置１の中央処理制御装置１０１に読み込まれ実行されることによって、取得手段２１、サイズ特定手段２２、プレビュー手段２３、保存手段２５が情報処理装置１に実装される。
【００２５】
画像データ記憶部１１は、記憶装置１０７のうち、撮影部１２１および画像データ生成部１２２によって生成された画像データ１１ａが記憶された記憶領域である。画像データ１１ａは、撮影部１２１および取得手段２１により逐次入力される。
【００２６】
サイズデータ記憶部１２は、記憶装置１０７のうち、サイズデータ１２ａが記憶された記憶領域である。サイズデータ１２ａは、書類の種別と、撮影部１２１と書類３との位置関係が適切な場合の、画像データにおける書類の縦横比データとを対応づけたデータである。サイズデータ１２ａには、第１の実施形態に係る情報処理装置１がエビデンスデータとして保存する必要のある書類３の種別と、その縦横比データとを含む。ここで縦横比データとは、書類３の縦方向と横方向の比率のデータである。図２に示すように、第１の実施形態においては、表示部１０５の長手方向が横方向であるが、撮影部１２１の位置や撮影方法によって、異なる場合もある。
【００２７】
サイズデータ１２ａは、例えば、図５に示すデータ構造とデータの例を備える。書類種別として、情報処理装置１が保存する書類３の種別が挙げられている。さらに各書類３の種別に、それぞれの書類の縦横比が対応づけられている。図５に示す例では書類３のサイズも含まれているが、書類３のサイズは含まれていなくても良い。
【００２８】
理想枠データ記憶部１３は、記憶装置１０７のうち、理想枠データ１３ａが記憶された記憶領域である。理想枠データ１３ａは、撮影部１２１と書類３との位置関係が適切な場合の書類３の位置を示すデータである。理想枠データ１３ａには、表示部１０５に表示する理想枠５１の表示位置のデータや、理想枠５１の角の座標位置のデータが含まれてもよい。理想枠データ１３ａは、後述の理想枠描画手段２４において表示部１０５に理想枠５１を表示するときや、保存手段２５において書類部５２の位置と比較するときに、参照される。
【００２９】
例えば、書類３の種別がＡ４とＢ５は、縦横比が同一であるので、書類３の種別が異なっても、同じ理想枠を適用することが可能である。従って、第１の実施形態において、理想枠データ１３ａは、書類３の位置を示すデータを含むところ、この書類３の位置を示すデータは、書類３の種別ごとに設定されても良いし、書類３の縦横比ごとに設定されても良い。
【００３０】
保存画像データ記憶部１４は、記憶装置１０７のうち保存画像データ１４ａが記憶された記憶領域である。保存画像データ１４ａは、画像データ記憶部１１に記憶された複数の画像データ１１ａのいずれかの画像データであって、後述する保存手段２５によって処理された画像データである。具体的には、保存手段２５が、図２に示す書類部５２のエッジと理想枠５１との距離の差分が所定値内になったタイミングを検出すると、その時点の画像データ１１ａを補正して、保存画像データ１３ａとして保存画像データ記憶部１３に格納する。
【００３１】
取得手段２１は、撮影部１２１が書類３を撮影して生成された画像データを取得して、記憶装置１０７に記憶する。取得手段２１は、撮影部１２１によって撮影された電気信号に基づいて、画像データ生成部１２２で生成された画像データ１１ａを取得して、取得した画像データ１１ａを画像データ記憶部１１に記憶する。取得手段２１は、撮影部１２１から入力される画像データを逐次画像データ記憶部１１に記憶し、プレビュー手段２３がプレビューすることにより、表示部１０５に動画の様に表示される。
【００３２】
サイズ特定手段２２は、サイズデータ１２ａを読み出し、画像データ１１ａから検出された書類３のエッジの比率に最も近い縦横比データを特定する。サイズ特定手段２２はまず、画像データ１１ａから、書類３が撮影された部分である撮影部５２を特定するために、書類３のエッジを検出する。サイズ特定手段２２は、例えば、画像データ１１ａにおいて色調変化率の大きい部分を、書類３のエッジ部分として検出する。また書類３の色や書類３が設置された机の色などが予めわかっている場合、エッジ検出手段２３は、画像データ１１ａからそれぞれの色の境界を検出して、書類３のエッジとしてもよい。次に、サイズ特定手段２２は、画像データ１１ａの書類部分の少なくとも隣り合う２辺のエッジの長さを算出する。サイズ特定手段２２は、サイズデータ１２ａから、この２辺の比率に最も近い縦横比データに対応づけられた書類種別を抽出する。
【００３３】
図２に示すように撮影すると、書類３と情報処理装置１が平行でない場合、図２の表示部１０５に表示されるように、書類３で台形形状に撮影される。従ってサイズ特定手段２２は、書類３の４辺全ての長さを算出し、長辺と短辺の比率を算出することにより、書類種別を特定する精度を高めることができる。
【００３４】
プレビュー手段２３は、取得手段２１によって取得された画像データ１１ａを表示するとともに、サイズ特定手段２２により特定された縦横比データに基づいて、理想枠５１を表示する。ここで理想枠５１は、撮影部１２１と書類３との位置関係が適切な場合の、表示部１０５における書類３の位置を示すガイドである。プレビュー手段２３は、理想枠描画手段２４を備える。
【００３５】
理想枠描画手段２４は、理想枠データ１３ａから、サイズ特定手段２２により特定された縦横比データから判定された書類種別に対応づけられる理想枠を、画像データ１１ａに描画する。理想枠描画手段２４は、例えば、画像データ１１ａを表示するレイヤーに、理想枠５１を表示するレイヤーを重ねて表示部１０５に表示しても良い。ユーザは、表示部１０５に表示された理想枠５１の中に、書類部５２が収まるように、書類３と情報処理装置１の位置や角度を調整する。
【００３６】
保存手段２５は、理想枠５１の中に、書類部５２が収まったか否かを判定する。保存手段２５は、理想枠５１の中に書類部５２が納まったと判定すると、そのタイミングの画像データ１１ａに基づいて、保存画像データ１４ａを保存する。ここで保存手段２５は、例えば書類部５２と理想枠５１との距離の差分が所定値内の場合に、理想枠５１に書類部５２が収まったと判断しても良い。保存手段２５は、保存画像選択手段２６、補正手段２７、電子透かし挿入手段２８を備える。
【００３７】
保存画像選択手段２６は、理想枠５１の中に書類部５２が収まったタイミングで、複数の画像データ１１ａを取得する。具体的には、中央処理制御装置１０１が、撮影部１２１に、例えば１秒あたり３０枚を撮影する指示を入力することで、複数の画像データ１１ａを取得することができる。このように自動的に撮影することにより、ユーザが撮影ボタンを押下する手間を省き、手ブレ要素を軽減することができる。
【００３８】
保存画像選択手段２６は、取得した複数の画像データ１１ａのうち、最もブレの少ない画像を、保存候補画像データとして選択する。ブレの少ない画像とは、階調変化率が小さくコントラストが高い画像である。具体的には、保存画像選択手段２６は、取得した複数の画像データ１１ａのそれぞれについて、画像の階調変化率および鮮鋭度を算出して、最もブレの少ない画像を選択する。
【００３９】
補正手段２７は、保存画像選択手段２６によって選択された保存候補画像データを、台形補正、トリミング、影消去などの補正をする。
【００４０】
図６を参照して、補正手段２７による画像の補整処理を説明する。図６（ａ）に示すように、保存画像選択手段２５により選択された画像データ１１ａにおいて、書類部５２は台形形状の場合がある。また、情報処理装置１は、図２に示すように書類３の上部から書類３を撮影するので、書類３に情報処理装置１の影が生じる場合がある。この場合画像データ１１ａは、情報処理装置１の影が生じた影部５３を含む場合がある。
【００４１】
このような画像データ１１ａに対して補正手段２７は、台形補正して図６（ｂ）に示すような画像を生成する。図６（ａ）において、矩形の書類３が、画像データ１１ａの上部が狭く下部が広く撮影されているので、画像データ１１ａの上部を拡張するように台形補正する。これにより補正手段２７は、図６（ｂ）に示すように、矩形の書類部５２ａを含む画像データを取得することができる。
【００４２】
さらに補正手段２７は、図６（ｂ）に示す画像データから、影を削除する。ここで「影」は、書類３の地色より輝度が低いが、書類３上の文字色よりも輝度の高い所定値内の画像領域であると考えられる。この所定値は、影として特定するべき輝度値の範囲で、例えば予め定められるデータである。書類３の色は白であることが一般的であると考えられる。そこで補正手段２７は、書類３の画像データ１１ａの輝度分布から、書類３の地色を特定するとともに書類３上の文字色を特定して、画像データ１１ａ上の影部分を特定する。このとき、影部分から、書類３上の文字色部分は、除外される。補正手段２７は、このように特定された影部分の色を、書類の地色に置換する。これにより補正手段２７は、図６（ｃ）に示すように、書類部５２ｂの地色が均一の画像データを取得することができる。
【００４３】
補正手段２７は、図６（ｃ）に示す画像データから、書類以外の部分をトリミングし、書類３のみの画像データを取得する。このとき補正手段２７は、プレビュー手段２３で描画した理想枠の情報を用いて、書類以外の部分をトリミングしても良い。例えば補正手段２７は、図６（ｃ）に示す画像データのうち、理想枠の座標より外の部分を削除することにより、書類部分のみを含む保存画像候補データを取得することができる。
【００４４】
図６に示す補正の処理順序は単なる一例であって、適宜変更可能である。また図６に示す補正処理は一例であって、この一部の処理が割愛されても良いし、さらに他の補正処理がなされても良い。
【００４５】
電子透かし挿入部２８は、補正手段２７による補正後の保存画像候補データに、電子透かしを挿入して、保存画像データ１４ａを生成する。電子透かし挿入部２８は、そのエビデンスデータを取得した日時、取得端末、取得者などの情報を、電子透かしとして挿入する。
【００４６】
図７を参照して、第１の実施形態に係る情報処理装置１の処理を説明する。
【００４７】
まずステップＳ１０１においてサイズ特定手段２２は、画像データ記憶部１１から画像データ１１ａを読み出す。ステップＳ１０２においてサイズ特定手段１０２は、ステップＳ１０１で読み出した画像データ１１ａのエッジを検出して、書類部分の縦横比を算出すする。ステップＳ１０３においてサイズ特定手段１０３は、この画像データ１１ａで表示された書類３に適切な理想枠を決定する。
【００４８】
ステップＳ１０４においてプレビュー手段２３は、画像データ１１ａを読み出し、ステップＳ１０５において、理想枠とともに画像データを表示部１０５にプレビュー表示する。このとき、情報処理装置１の表示部１０５には、例えば、図２に示すように、書類３と理想枠が表示される。
【００４９】
ステップＳ１０６において保存手段２５は、ステップＳ１０４で読み出した画像データについて書類３のエッジ部分を検出し、ステップＳ１０７において、その書類３のエッジ部分が、ステップＳ１０３で特定した理想枠５１の内側か否かを判定する。理想枠５１の中に書類部５２が収まっていない場合、ステップＳ１０４に戻り、プレビュー手段２３は新たな画像データを表示する。なおここで、再度書類３のエッジを取得した際、サイズ特定手段２２が、縦横比を算出してサイズデータ１２ａを比較し、書類３の種別を判定し、新たに判定された書類３の種別に対応する理想枠を用いて、ステップＳ１０５およびステップＳ１０６の処理を実行しても良い。
【００５０】
一方、理想枠５１の中に書類部５２が収まったと判断される場合、保存手段２５はステップＳ１０８において、所定枚数自動撮影し、複数の保存候補画像データを取得し、ステップＳ１０９において最もブレの少ない保存候補画像データを選択する。さらにステップＳ１１０において保存手段２５は、ステップＳ１０９で取得した保存候補画像データについて、台形補正、影消去、トリミングなどの補正をし、ステップＳ１１１において電子透かしを挿入する。ステップＳ１１２において保存手段２５は、電子透かしが挿入された保存候補画像データを、保存画像データ１４ａとして、保存画像データ記憶部１４に記憶する。
【００５１】
このように第１の実施形態に係る情報処理装置１は、画像データ１１ａに含まれる書類部５２から、書類３の種別を特定して理想枠５１を表示することにより、ユーザに、撮影部１２１と書類３との位置関係を容易に調整させることができる。また、このような理想枠５１を表示して画像データ１１ａを取得することにより、情報処理装置１は、書類３の全体をフレーム内に納め、かつ最大の画像を取得することができる。
【００５２】
（第２の実施形態）
第１の実施形態では、情報処理装置１と書類３の距離を自在に変更できる場合について説明したが、第２の実施形態では、撮影部１２１と書類３との距離が固定可能な場合を説明する。
【００５３】
撮影部１２１と書類３との距離が固定可能な場合とは、例えば図８ないし図１０に示すように、第２の実施形態に係る情報処理装置１ａの形状と書類３の設置場所によって、 撮影部１２１と書類３とがほぼ一定の距離になる場合を言う。
【００５４】
図８は、第１の実施形態と同様に、情報処理装置１ａはタブレット形コンピュータであって、情報処理装置１ａをスタンド５に設置する場合を説明する。スタンド５に設置することにより、情報処理装置１ａは固定され、書類３との距離もほぼ一定の距離になる。
【００５５】
図９は、一般的なノートコンピュータであって、撮影部１２１は、ノートコンピュータの表示部の上部に設けられている場合を説明する。ノートコンピュータのキーボード上に書類３を設置し、表示部とキーボード部との開閉角度をほぼ９０度にすることにより、情報処理装置１ａは固定され、書類３との距離もほぼ一定の距離になる。
【００５６】
図１０は、一般的なノートコンピュータであって、撮影部１２１は、ノートコンピュータの表示部の背面に設けられている場合を説明する。ノートコンピュータの表示部の裏側の台上に書類３を設置し、表示部とキーボード部とを９０度以下程度の角度にすることにより、情報処理装置１ａは固定され、書類３との距離もほぼ一定の距離になる。
【００５７】
このように撮影部１２１と書類３との距離が固定可能な場合、画像データ１１ａにおける書類部５２のサイズによって、書類３のサイズを特定することができる。従って第２の実施形態において、書類部５２のエッジの縦横比ではなく、書類部５２のサイズによって書類３の種別を特定し、理想枠を表示する場合について説明する。
【００５８】
第２の実施形態に係るサイズデータ１２ｂには、書類の種別に、撮影部１２１と書類３との位置関係が適切な場合の書類３の画素サイズデータがさらに関連づけられている。
【００５９】
図１１に示す第２の実施形態に係るサイズデータ１２ｂは、図５に示す第１の実施形態に係るサイズデータ１２ａと比べて画素サイズの項目を備えている点が異なる。
【００６０】
第２の実施形態に係るサイズ特定手段２２ａは、画像データ１１ａから検出された書類３のエッジの画素数に最も近い画素サイズデータを特定する。サイズ特定手段２２は、画像データ１１ａから書類部５２のエッジを検出し、その書類部５２の４辺で囲まれる領域サイズを算出する。さらに、サイズデータ１２ｂを参照して、算出された領域サイズに最も近い画素サイズを持つ書類種別を特定する。
【００６１】
第２の実施形態に係るプレビュー手段２３ａは、サイズ特定手段２２ａにより特定された画素サイズデータに基づいて、表示部１０５に理想枠を表示する。
【００６２】
このような第２の実施形態に係る情報処理装置１ａは、書類３と撮影部１２１の距離がわかることにより、Ａ４とＢ５など、形は同じでサイズが異なる書類の種別も判断して、理想枠を表示することができる。
【００６３】
（第３の実施形態）
第３の実施形態に係る情報処理装置１ｂは、コンポジットによってノイズを除去する。また、第３の実施形態では、第１の実施形態と比べて、理想枠の表示手法も異なる。
【００６４】
図１２に示す第３の実施形態に係る情報処理装置１ｂは、図４に示す第１の実施形態に係る情報処理装置１と比べて、サイズ特定手段を備えておらず、プレビュー手段および保存手段の処理が異なる。
【００６５】
第３の実施形態に係るプレビュー手段２３ａは、理想枠描画手段２４ａを備える。理想枠描画手段２４ａは、理想枠データ１３ａに基づいて表示部１０５に理想枠を表示する。第１の実施形態においては、書類種別をソフトウェアが判別していたが、第３の実施形態においては、書類種別を判別しなくても良い。例えば、ユーザが書類種別を情報処理装置１ｂに入力しても良いし、情報処理装置１ｂが１種類の書類種別のみ扱い、理想枠データ１３ａにその１種類の書類種別の理想枠データのみが含まれていても良い。
【００６６】
第３の実施形態に係るプレビュー手段２３ａは、例えば、図１３に示すような理想枠を表示する。図１３に示す理想枠は、第１の理想枠５１ａおよび第２の理想枠５１ｂを備える。第３の実施形態において、第１の理想枠５１ａおよび第２の理想枠５１ｂの間に、書類部５２のエッジが入った場合に、保存手段２５ａは、そのタイミングの画像データ１１ａに基づいて、保存画像データ１４ａを保存する。
【００６７】
図１３（ａ）においては、書類部５２のエッジは、第１の理想枠５１ａおよび第２の理想枠５１ｂの間に納まっていない。ユーザが書類３などの位置を変更することにより、図１３（ｂ）に示すように書類部５２のエッジが、第１の理想枠５１ａおよび第２の理想枠５１ｂの間に納まると、保存手段２５ａは、保存データ１４ａを保存する。
【００６８】
保存手段１４ａは、図４に示す第１の実施形態に係る情報処理装置１と比べて、コンポジットノイズ除去手段２９を備えている点が異なる。また、保存画像選択手段および補正手段の処理も異なる。
【００６９】
保存画像選択手段２６ａは、理想枠５１の中に書類部５２が収まったタイミングで、複数の画像データ１１ａを取得する。さらに保存画像選択手段２６ａは、取得した複数の画像データ１１ａのうち、最もブレの少ない所定数の画像を、保存候補画像データとして選択する。具体的には、保存画像選択手段２６は、取得した複数の画像データ１１ａのそれぞれについて、画像の階調変化率および鮮鋭度を算出して、階調変化率が小さくコントラストが高い、ブレの少ない所定素の画像を選択する。
【００７０】
補正手段２７ａは、複数の画像データの書類３が撮影された部分を抽出して台形補正する。例えば補正手段２７ａは、保存画像選択手段２６によって選択された保存候補画像データを、台形補正、トリミング、影消去などの補正をする。第１の実施形態においては、保存選択手段２６によって選ばれた１枚の画像のみを補整していたが、第３の実施形態に係る補正手段２７ａは、保存画像選択手段２６ａによって選択された全ての画像について、補正する。
【００７１】
コンポジットノイズ除去手段２９は、補正手段２７ａによって補正された後の複数の保存候補画像データから、コンポジットノイズを除去した保存画像データを生成する。例えば、８枚の保存候補画像データを用いてコンポジットによってノイズを除去する場合、各保存候補画像データの不透明度を１／１２にしたデータを、各画素で重畳する。コンポジットノイズ除去手段２９は、補正手段２７ａにおいて台形補正などされた補正後の保存候補画像データを用いることにより、書類のエッジを一致させることができる。これにより、有効にノイズを除去することができる。
【００７２】
また、書類３に位置合わせのためのローテーションマークを付して、各保存候補画像データのローテーションマークに基づいて、書類を撮影した画素を一致させても良い。情報処理装置１ｂの筐体部分などに書類の設置位置を示すガイド表示などをプリントし、そのガイド表示も含めて撮影することにより、複数の画像における書類部５２のエッジを一致させても良い。
【００７３】
図１４を参照して、第３の実施形態に係る情報処理装置１ｂの処理を説明する。
【００７４】
ステップＳ２０１においてプレビュー手段２３ａは、画像データ１１ａを読み出し、ステップＳ２０２において、理想枠とともに画像データを表示部１０５にプレビュー表示する。このとき、情報処理装置１ｂの表示部１０５には、例えば、図１３に示すように、書類３と理想枠が表示される。
【００７５】
ステップＳ２０４において保存手段２５ａは、ステップＳ２０３で読み出した画像データについて書類３のエッジ部分を検出し、ステップＳ２０４において、その書類３のエッジ部分が、第１の理想枠５１ａと第２の理想枠５１ｂの間か否かを判定する。第１の理想枠５１ａと第２の理想枠５１ｂの間でない場合、ステップＳ２０４に戻り、プレビュー手段２３ａは新たな画像データを表示する。
【００７６】
一方、第１の理想枠５１ａと第２の理想枠５１ｂの間であると判断される場合、保存手段２５ａはステップＳ２０５において、所定枚数自動撮影し、複数の保存候補画像データを取得し、ステップＳ２０６においてブレの少ない複数の保存候補画像データを選択する。さらにステップＳ２０７において保存手段２５ａは、ステップＳ２０６で取得した複数の保存候補画像データそれぞれについて、台形補正、影消去、トリミングなどの補正をする。ステップＳ２０８において保存手段２５ａは、ステップＳ２０７で補正された複数の保存候補画像データのコンポジットによってノイズを除去し、ステップＳ２０９において電子透かしを挿入する。ステップＳ２１０において保存手段２５ａは、電子透かしが挿入された保存候補画像データを、保存画像データ１４ａとして、保存画像データ記憶部１４に記憶する。
【００７７】
以上説明した少なくとも一つの実施形態に係る情報処理装置は、適切な書類の撮影データを取得することができる。
【００７８】
なお、以上説明した少なくとも一つの実施形態に係る情報処理装置の処理の順序は、上記の説明の通りに限定するものではない。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１  情報処理装置
３  書類
５  スタンド
１１  画像データ記憶部
１２  サイズデータ記憶部
１３  理想枠データ記憶部
１３  保存画像データ記憶部
２１  取得手段
２２  サイズ特定手段
２３  プレビュー手段
２４  理想枠描画手段
２５  保存手段
２６  保存画像選択手段
２７  台形手段
２８  電子透かし挿入手段
２９  コンポジットノイズ除去手段
５１  理想枠
５２  書類部
１０１  中央処理制御装置
１０２  ＲＯＭ
１０３  ＲＡＭ
１０４  入力装置
１０５  表示部
１０５ａ  タッチパネル
１０６  通信制御装置
１０７  記憶装置
１０８  リムーバブルディスク
１０９  入出力インタフェース
１１０  バス
１２１  撮影部
１２２  画像データ変換部
【図１】
2012108720.tif 000003
【図２】
2012108720.tif 000004
【図３】
2012108720.tif 000005
【図４】
2012108720.tif 000006
【図５】
2012108720.tif 000007
【図６】
2012108720.tif 000008
【図７】
2012108720.tif 000009
【図８】
2012108720.tif 000010
【図９】
2012108720.tif 000011
【図１０】
2012108720.tif 000012
【図１１】
2012108720.tif 000013
【図１２】
2012108720.tif 000014
【図１３】
2012108720.tif 000015
【図１４】
2012108720.tif 000016